(57)【要約】【課題】見開き頁の情報記録媒体の全体を１回で撮影したとしても１画像１頁として処理できるようにする。【解決手段】制御部１は、紙媒体（情報記録媒体）１２としての文書資料の全体を撮像部６によって撮影した撮影画像を順次取得し、その各撮影画像を解析することによってその紙媒体１２が見開き頁であるか否かを判定し、見開き頁であれば、その撮影画像を見開きの各頁、例えば、右頁と左頁にそれぞれ分割する。そして、分割した各頁を独立した頁として記録保存する。【選択図】  図１
2014120962.tif 000002
【特許請求の範囲】
【請求項１】
情報が記録されている情報記録媒体を撮影してその情報を読み取る情報読取装置であって、
前記情報記録媒体の撮影画像を解析することによって当該情報記録媒体が見開き頁であるか否かを判定する判定手段と、
前記判定手段により見開き頁であると判定された場合に、前記情報記録媒体の撮影画像を見開きの各頁にそれぞれ分割する分割手段と、
を備えたことを特徴とする情報読取装置。
【請求項２】
前記判定手段は、複数頁を有する情報記録媒体の頁捲り時に順次撮影された各撮影画像を比較することによってその画像内容の変化を検出し、この画像の変化に基づいて見開き頁であるか否かを判定する、
ようにしたことを特徴とする請求項１に記載の情報読取装置。
【請求項３】
前記判定手段は、頁捲り時に順次撮影された各撮影画像を比較してその画像内容の変化として、当該情報記録媒体の頁捲り方向に、はみ出した領域を検出し、このはみ出した領域に基づいて見開き頁であるか否かを判定する、
ようにしたことを特徴とする請求項２に記載の情報読取装置。
【請求項４】
前記判定手段は、情報記録媒体の頁捲り方向に、はみ出した領域の大きさが所定値以上であれば、見開き頁であると判定する、
ようにしたことを特徴とする請求項１〜請求項３のいずれかに記載の情報読取装置。
【請求項５】
前記判定手段は、頁捲り時に順次撮影された各撮影画像を比較してその画像内容の変化として、当該情報記録媒体の頁捲り方向への変化を検出し、この頁捲り方向への変化であるか否かに基づいて見開き頁であるか否かを判定する、
ようにしたことを特徴とする請求項１〜請求項４のいずれかに記載の情報読取装置。
【請求項６】
前記判定手段は、頁捲り時に順次撮影された各撮影画像を比較してその画像内容の変化として、頁捲り中の変化が当該情報記録媒体の略全体の領域か略半分の領域を検出し、この変化領域の大きさに基づいて見開き頁であるか否かを判定する、
ようにしたことを特徴とする請求項１〜請求項５のいずれかに記載の情報読取装置。
【請求項７】
前記判定手段は、前記情報記録媒体の撮影画像を解析することによって情報記録媒体のフォーム及び撓み状態を検出し、その検出フォーム及び撓み状態に基づいて見開き頁であるか否かを判定する、
ようにしたことを特徴とする請求項１〜請求項６のいずれかに記載の情報読取装置。
【請求項８】
前記判定手段は、予め決められている優先順位にしたがって複数の判定方法に応じた判定を順次行うことにより見開き頁であるか否かを判定する、
ようにしたことを特徴とする請求項１〜請求項７のいずれかに記載の情報読取装置。
【請求項９】
前記判定手段は、予め決められている複数の判定方法の中からユーザ操作に応じて任意に選択された判定方法により見開き頁であるか否かを判定する、
ようにしたことを特徴とする請求項１〜請求項７のいずれかに記載の情報読取装置。
【請求項１０】
前記分割手段は、撮影画像をその中央を境にして左右の頁に二分割する、
ようにしたことを特徴とする請求項１〜請求項９のいずれかに記載の情報読取装置。
【請求項１１】
前記判定手段は、前記撮影画像を解析することにより情報記録媒体の向きを更に判定し、
前記分割手段によって分割された各頁の向きを前記判定手段によって判定された情報記録媒体の向きに合わせる制御を行う制御手段を更に備える、
ようにしたことを特徴とする請求項１〜記載１０のいずれかに記載の情報読取装置。
【請求項１２】
コンピュータに対して、
情報が記録されている情報記録媒体を撮影した撮影画像を解析することによって当該情報記録媒体が見開き頁であるか否かを判定する機能と、
前記見開き頁であると判定された場合に、前記情報記録媒体の撮影画像を見開きの各頁にそれぞれ分割する機能と、
を実現させるためのプログラム。
【発明の詳細な説明】
【技術分野】
【０００１】
本発明は、情報が記録されている情報記録媒体を撮影してその情報を読み取る情報読取装置及びプログラムに関する。
【背景技術】
【０００２】
従来、書物などを連続撮像してその画像を順次記録する技術としては、例えば、書物などを手に持って頁を順次捲ると、その様子を連続撮像した各画像を解析することで頁捲りを検出して各頁の画像を記録保存するようにした技術が知られている（特許文献１参照）。すなわち、特許文献１の技術は、頁が順次捲られると、画像内では頁端辺の位置が順次変化するようになるため、その頁端辺の位置変化を検出し、その頁端辺の位置に基づいて頁が完全に捲られたことを検出すると、そのときの撮像画像を１頁分の画像として取得して記録保存するようにしている。
【先行技術文献】
【特許文献】
【０００３】
【特許文献１】特開２０１２−６５２６１号公報
【発明の概要】
【発明が解決しようとする課題】
【０００４】
しかしながら、上述した特許文献の技術のように頁端辺の位置変化を検出する方法では、コントラストが強い箇所では頁端辺を検出できたとしても常に安定的に検出することは困難となり、また、見開き頁の間の折り曲げ部（縦のセンタライン）と頁端辺とを混同することによって頁捲りの誤検出を招くおそれもあった。また、見開きの各頁を撮影した場合には、見開き２頁分のデータが１画像分のデータとして記録保存されることになる。
【０００５】
本発明の課題は、見開き頁の情報記録媒体の全体を１回で撮影したとしても１画像１頁として処理できるようにすることである。
【課題を解決するための手段】
【０００６】
上述した課題を解決するために本発明の情報読取装置は、
情報が記録されている情報記録媒体を撮影してその情報を読み取る情報読取装置であって、
前記情報記録媒体の撮影画像を解析することによって当該情報記録媒体が見開き頁であるか否かを判定する判定手段と、
前記判定手段により見開き頁であると判定された場合に、前記情報記録媒体の撮影画像を見開きの各頁にそれぞれ分割する分割手段と、
を備えたことを特徴とする情報読取装置である。
【発明の効果】
【０００７】
本発明によれば、見開き頁の情報記録媒体の全体を１回で撮影したとしても１画像１頁として処理することができ、書物などを連続撮像した画像を頁単位毎に効率良く処理することが可能となる。
【図面の簡単な説明】
【０００８】
【図１】本実施形態の情報読取装置の基本的な構成要素を示したブロック図。
【図２】情報読取装置によって紙媒体を読み取る場合の状態を示した情報読取装置の外観斜視図。
【図３】（１）〜（４）は、紙媒体が見開き頁か否かを判定する一つの判定方法を説明するための図。
【図４】（１）、（２）は、紙媒体が見開き頁か否かを判定する他の判定方法を説明するための図。
【図５】（１）、（２）は、紙媒体が見開き頁か否かを判定する更に他の判定方法を説明するための図。
【図６】ユーザ操作による動作モード切り替えに応じて文書頁捲り撮影モードが指定された際に実行開始される動作（本実施形態の特徴的な動作）を説明するためのフローチャート。
【図７】文書形式に応じて頁画像を保存する処理（図６のステップＡ１２）を詳述するフローチャート。
【図８】本実施形態の変形例を説明するための図。
【図９】本実施形態の他の変形例を説明するための図。
【発明を実施するための形態】
【０００９】
以下、図１〜図７を参照して本発明の実施形態を説明する。
図１は、本実施形態の情報読取装置の基本的な構成要素を示したブロック図である。
情報読取装置は、情報が記録されている情報記録媒体（例えば、資料などの紙媒体）を撮影してその情報を読み取るもので、その中核となる制御部１は、電源部２からの電力供給によって動作し、記憶部３内の各種のプログラムに応じてこの情報読取装置の全体動作を制御する中央演算処理装置やメモリなどを有している。記憶部３は、後述する図６及び図７のフローチャートに示すプログラムや各種のアプリケーションなどが格納されているプログラムメモリ３ａと、この情報読取装置が動作するために必要となる各種の情報（例えば、フラグなど）を一時的に記憶するワークメモリ３ｂなどを有している。なお、記憶部３は、ＳＤカードなどの記録メディアを含む構成であってもよく、他のサーバ装置（図示省略）側の記憶領域を含むものであってもよい。
【００１０】
操作部４は、押しボタン式のキーとして、図示省略したが、電源をオン／オフさせる電源キーなどを備え、制御部１は、この操作部４から操作キーに対応して出力される入力操作信号に応じた処理を行う。タッチ表示部５は、表示パネル５ａにタッチパネル５ｂを積層配設した構成となっている。撮像部６は、画像読取機能を構成するもので、図示省略したが、光学レンズからの被写体像が撮像素子（ＣＣＤやＣＭＯＳなど）に結像されることにより被写体を高精細に撮影可能なデジタルカメラ部であり、撮影レンズ、撮像素子、各種のセンサ、アナログ処理部、デジタル処理部などを有している。無線ＬＡＮ（Local  Area  Network）通信部７は、高速大容量の通信が可能な無線通信モジュールで、最寄りの無線ＬＡＮルータ（図示省略）を介してインターネットに接続可能となっている。
【００１１】
図２は、情報読取装置によって紙媒体を読み取る場合の状態を示した情報読取装置の外観斜視図である。
情報読取装置は、両開き式のバインダ１０上にタブレット装置１１と紙媒体１２を装着した構成で、基本的にはタブレット装置１１と同義である。バインダ１０は、第１の筐体１０ａと第２の筐体１０ｂとをヒンジ部１０ｃを介して見開き状に開閉可能となるように取り付けた構成で、第１の筐体１０ａと第２の筐体１０ｂとは、１８０°開いた状態から第１の筐体１０ａの上に第２の筐体１０ｂが重なり合う状態（完全に閉じた状態）まで開閉可能となっている。タブレット装置１１のタッチ表示部５及び撮像部６は、タブレット装置１１の表面側に位置するように配設され、更に撮像部６は、表面側の一端中央部（図示の例では表面左端中央部）に位置するように配設されている。
【００１２】
タブレット装置１１は、第１の筐体１０ａと第２の筐体１０ｂとの角度が所定の角度範囲となったとき、第１の筐体１０ａに載置されている紙媒体１２の全体を撮影した画像を読み取り画像として取得するようにしている。例えば、第１の筐体１０ａを机面などに載置した状態において、第２の筐体１０ｂが斜めに立ち上がっているときの角度、つまり、第２の筐体１０ｂの立ち上げ角度が所定の角度範囲となったとき、つまり、紙媒体１２を撮影するのに適した最適角度を、例えば、７０°とすると、その最適角度を中心としてその前後の所定角度（例えば、±５°）の撮影角度範囲（６５°〜７５°）になったときに、紙媒体１２を撮影するようにしている。
【００１３】
なお、上述の場合とは逆に、第２の筐体１０ｂを机面などに載置した状態で第１の筐体１０ａを斜めに立ち上げるように設置して利用することも可能である。また、紙媒体１２は、文字や図表などを光学的に読み取る情報が記載されている媒体を示すものであり、例えば、ノート、リポート用紙、書籍などであるが、素材が紙であることを特定するものではなく、情報が記載されている被写体を意味し、情報を電子的に表示可能な電子ペーパーも含まれる。
【００１４】
図３は、紙媒体１２が見開き頁であるか否かを判定する一つの判定方法を説明するための図である。図３（１）は、複数枚の用紙を束ねて、その右上隅部をクリップなどで留められている紙媒体１２（以下、片留め型の文書資料と称する）が頁捲りされている途中の状態を示した図である。このように用紙の一隅部が留められている片留め型の文書資料が頁捲りされている途中の状態を撮影したライブビュー画像内において、頁捲り時の画像の変化は上下方向及び右方向に大きく現れる。すなわち、図３（２）に示すように、その文書資料の用紙領域ａから頁捲りにより画像の一部（捲られている頁）が、はみ出している画像変化領域ｂは、図中、上下方向及び右方向が大きくなっている。
【００１５】
図３（３）は、紙媒体１２として、ノートなどのように左右２頁の見開き型の文書資料を頁捲りされている途中の状態を示した図である。このように見開き型の文書資料が頁捲りされている状態を撮影したライブビュー画像内において、図３（４）に示すようにその文書資料の用紙領域ａから頁捲りにより画像の一部（捲られている頁）がはみ出している画像変化領域ｂは、図中、左右方向にはほとんどなく、上下方向に若干大きくなっている。そこで、本実施形態においては、頁捲り時の画像の変化が文書形式（片留め型の文書あるいは見開き型の文書）に応じて異なり、用紙領域ａの右側方向への変化が顕著なものとなるために、画像変化領域ｂが用紙領域ａの右側に、はみ出しているかを文書形式の判定基準としている。
【００１６】
図４は、紙媒体１２が見開き頁であるか否かを判定する他の判定方法を説明するための図である。図４（１）は、図３（１）と同様に、片留め型の文書資料が頁捲りされている途中の状態を示した図である。このように片留め型の文書資料が頁捲りされている途中の状態を撮影したライブビュー画像内において、頁捲り時の画像の変化は、次頁（後頁）の文書内容の変化が斜め上方向（図中、矢印方向）の変化として現れる。図４（２）は、図３（３）と同様に、見開き型の文書資料を頁捲りされている途中の状態を示した図である。このように見開き型の文書資料が頁捲りされている途中の状態を撮影したライブビュー画像内において、頁捲り時の画像の変化は、次頁（後頁）の文書内容の変化が右真横方向（図中、矢印方向）の変化として現れる。そこで、本実施形態においては、頁捲り時における次頁（後頁）の文書内容の変化方向が文書形式に応じて異なるために、文書内容の変化方向を文書形式の判定基準としている。
【００１７】
図５は、紙媒体１２が見開き頁であるか否かを判定する更に他の方法を説明するための図である。図５（１）は、片留め型の文書資料における頁捲り開始時の状態を示した図である。このように片留め型の文書資料の頁捲り開始時を撮影したライブビュー画像内において、頁捲りによりその頁全体が若干湾曲したり、撓んだり、ずれたりするために、文書内容が変化している画像変化領域ｂは、その文書資料の用紙領域ａと略同様の領域（図中、破線で囲んだ領域）となる。図５（２）は、見開き型の文書資料を頁捲りを開始したときの状態を示した図である。このように見開き型の文書資料の頁捲り開始時を撮影したライブビュー画像内において、見開きの左頁を捲り始めるとその頁全体が若干湾曲したり、撓んだり、ずれたりするが、右頁には、このような変化が生じないために文書内容が変化している画像変化領域ｂは、その文書資料の用紙領域ａに対して左半分の領域（図中、破線で囲んだ領域）となる。そこで、本実施形態においては、頁捲り開始時において文書内容が変化している画像変化領域ｂの用紙領域ａに対する大きさが文書形式に応じて異なるために、この画像変化領域ｂの大きさを文書形式の判定基準としている。
【００１８】
このように本実施形態において制御部１は、複数の判定方法、つまり、画像変化領域ｂが用紙領域ａの右側に、はみ出しているかに応じて判定する方法、頁捲り時における次頁（後頁）の文書内容の変化方向が右真横方向であるかに応じて判定する方法、画像変化領域ｂが用紙領域ａに対して左半分の領域であるかに応じて判定する方法にしたがって判定を行うが、その際、予め決められている優先順位にしたがって複数の判定方法に応じた判定を順次行うことにより見開き頁であるか否かを判定するようにしている。
【００１９】
次に、本実施形態における情報読取装置の動作概念を図６及び図７に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。なお、図６及び図７は、情報読取装置の全体動作のうち、本実施形態の特徴部分の動作概要を示したフローチャートであり、この図６及び図７のフローから抜けた際には、全体動作のメインフロー（図示省略）に戻る。
【００２０】
図６は、ユーザ操作による動作モードの切り替えに応じて文書頁捲り撮影モードが指定された際に実行開始される動作（本実施形態の特徴的な動作）を説明するためのフローチャートである。
先ず、制御部１は、文書頁捲り撮影モードへの切り替えに応じて撮像部６を起動させて撮影動作を開始させると共に（ステップＡ１）、撮像部６からその撮影画像を取得してワークメモリ３ｂに一時記憶させておく（ステップＡ２）。そして、その撮影画像をプレビュー（ライブビュー）画像として取得すると共に（ステップＡ３）、このプレビュー画像を解析することによってコントラスト比を検出したり、矩形領域を検出したりしながら文書資料の用紙領域ａを特定する（ステップＡ４）。
【００２１】
そして、更に撮像部６からプレビュー画像を取得し（ステップＡ５）、前回取得のプレビュー画像と今回取得のプレビュー画像とを比較することによって（ステップＡ６）、それらの画像内容に変化があるかを調べ（ステップＡ７）、画像の変化を検出したときには（ステップＡ７でＹＥＳ）、頁が捲られていると判断して、その変化内容をワークメモリ３ｂに一時記憶させておく（ステップＡ８）。次に、文書頁捲り撮影モードが解除されてその撮影終了が指示されたかを調べるが（ステップＡ９）、いま、文書頁捲り撮影モードのままであれば（ステップＡ９でＮＯ）、上述のステップＡ５に戻り、撮像部６からプレビュー画像を取得し、以下、画像の変化を検出する毎に（頁捲りが終わるまで）、その変化内容を一時記憶させる動作を繰り返す（ステップＡ５〜Ａ８）。
【００２２】
ここで、画像の変化を検出しなければ（ステップＡ７でＮＯ）、頁捲りが終わったものと判断して、ステップＡ１０に移り、ワークメモリ３ｂに一時記憶されている撮影画像を前回の撮影画像として読み出して、今回取得のプレビュー画像と前回の撮影画像とを比較し、画像内容に変化があるかを調べる（ステップＡ１１）。ここで、画像内容に変化がなければ（ステップＡ１１でＮＯ）、頁捲りによる画像の変化ではないと判断して、ステップＡ１３に移り、ワークメモリ３ｂに一時記憶されている変化内容をクリアする処理を行った後、文書頁捲り撮影モードの解除を判別するステップＡ９に戻る。一方、今回取得のプレビュー画像と前回の撮影画像とを比較した結果、画像内容の変化を検出したときには（ステップＡ１１でＹＥＳ）、頁捲りによる画像の変化であると判断して、文書形式に応じて頁画像を保存する処理に移る（ステップＡ１２）。その後、一時記憶の変化内容をクリアする処理（ステップＡ１３）を行った後、文書頁捲り撮影モードの解除を判別するステップＡ９に戻る。
【００２３】
図７は、文書形式に応じて頁画像を保存する処理（図６のステップＡ１２）を詳述するためのフローチャートである。
先ず、制御部１は、読み出頁が捲られているときの画像の変化内容が順次記憶されているワークメモリ３ｂを参照して（ステップＢ１）、その画像の変化状態を解析することにより、図３（１）、（２）に示すように、頁捲りによって画像の一部（捲られている頁）が文書資料の用紙領域ａの右側から画像変化領域ｂが所定の閾値よりも大きく、はみ出しているかを調べる（ステップＢ２）。
【００２４】
ここで、画像変化領域ｂが用紙領域ａの右側に閾値よりも大きく、はみ出しているときには（ステップＢ２でＹＥＳ）、図３（１）、（２）に示すように、片留め型の文書資料が頁捲りされている場合であると判断して、撮影画像の全体を１画像１頁のデータとして記録保存する（ステップＢ３）。そして、ワークメモリ３ｂに一時記憶されている撮影画像をクリア（ステップＢ４）した後、この図７のフローから抜ける。
【００２５】
一方、画像変化領域ｂが用紙領域ａの右側に大きく、はみ出していなければ（ステップＢ２でＮＯ）、見開き型の文書資料が頁捲りされている可能性があると判断して、図４（２）に示すように、文書内容の変化方向は右真横方向であるかを調べる（ステップＢ５）。ここで、変化方向が右真横方向でなければ（ステップＢ５でＮＯ）、片留め型の文書資料が頁捲りされている可能性があると判断して、文書内容の変化領域は用紙領域ａの左半分領域であるかを調べる（ステップＢ６）。
【００２６】
いま、変化方向が右真横方向ではなく（ステップＢ５でＮＯ）、かつ画像変化領域ｂが用紙領域ａの左半分領域でなければ（ステップＢ６でＮＯ）、片留め型の文書資料が頁捲りされている場合であると判断して、撮影画像の全体を１頁のデータとして記録保存する処理に移る（ステップＢ３）。また、変化方向が右真横方向である場合（ステップＢ５でＹＥＳ）又は画像変化領域ｂが用紙領域ａの左半分領域である場合には（ステップＢ６でＹＥＳ）、見開き型の文書資料が頁捲りされている場合であると判断して、用紙領域ａの縦中心線を境にして左右の頁に分割する処理を行う（ステップＢ７）。これによって二等分された左右の領域を左右の独立頁として、例えば、右頁と左頁としてそれぞれ分けて記録保存する（ステップＢ８）。そして、ワークメモリ３ｂに一時記憶されている撮影画像をクリア（ステップＢ４）した後、この図７のフローから抜ける。
【００２７】
以上のように、本実施形態において制御部１は、紙媒体（情報記録媒体）１２としての文書資料の全体を撮像部６によって撮影した撮影画像を解析することによってその紙媒体１２が見開き頁であるか否かを判定し、見開き頁であれば、その撮影画像を見開きの各頁にそれぞれ分割するようにしたので、見開き頁の紙媒体１２の全体を１回で撮影したとしても１画像１頁として処理することができ、見開き頁の撮影画像をユーザ操作で分割するという編集作業の手間を省くことができ、書物などを連続撮像した画像を頁単位毎に効率良く処理することが可能となる。
【００２８】
制御部１は、紙媒体１２の頁捲り時に順次撮影された各撮影画像を比較して、その画像内容の変化を検出し、この画像内容の変化に基づいて見開き頁であるか否かを判定するようにしたので、頁捲りの状態から見開き頁であるかの判定が可能となる。
【００２９】
制御部１は、頁捲り時に順次撮影された各撮影画像を比較してその画像内容の変化として、紙媒体１２の頁捲り方向に、はみ出した領域を検出し、このはみ出し領域に基づいて見開き頁であるか否かを判定するようにしたので、頁捲りの状態から見開き頁を精度良くかつ安定的に判定することができる。
【００３０】
制御部１は、紙媒体１２の頁捲り方向に、はみ出した領域の大きさが所定値以上であれば、見開き頁であると判定するようにしたので、更に見開き頁を精度良く判定することができる。
【００３１】
制御部１は、頁捲り時に順次撮影された各撮影画像を比較してその画像内容の変化として、頁捲り方向への変化を検出し、この頁捲り方向への変化であるか否かに基づいて見開き頁であるか否かを判定するようにしたので、頁捲りの状態から見開き頁を精度良くかつ常に安定的に判定することができる。
【００３２】
制御部１は、頁捲り時に順次撮影された各撮影画像を比較してその画像内容の変化として、頁捲り中の変化が紙媒体１２の略全体の領域か略半分の領域を検出し、この変化領域の大きさに基づいて見開き頁であるか否かを判定するようにしたので、頁捲りの状態から見開き頁を精度良くかつ常に安定的に判定することができる。
【００３３】
制御部１は、予め決められている優先順位にしたがって複数の判定方法に応じた判定を順次行うことにより見開き頁であるか否かを判定するようにしたので、更に見開き頁を精度良く判定することができる。
【００３４】
制御部１は、撮影画像をその中央を境にして各頁の間の折り曲げ部（縦のセンタライン）Ｌ１で左右の頁に二分割するようにしたので、見開き頁から正確に右頁及び左頁を得ることができる。
【００３５】
なお、上述した実施形態においては、複数の判定方法として、画像変化領域ｂが用紙領域ａの右側に、はみ出しているかに応じて判定する方法、頁捲り時における次頁（後頁）の文書内容の変化方向が右真横方向であるかに応じて判定する方法、画像変化領域ｃが用紙領域ａに対して左半分の領域であるかに応じて判定する方法を例示したが、これらに限らず、例えば、図８に示した判定方法であってもよい。すなわち、上述した実施形態においては、頁捲りの状態から見開き頁であるかを判定するようにしたが、紙媒体１２の撮影画像を解析することによってそのフォーム及び撓み状態を検出し、その検出フォーム及び撓み状態に基づいて見開き頁であるか否かを判定するようにしてもよい。
【００３６】
例えば、紙媒体１２において、見開き頁の間の折り曲げ部（縦のセンタライン）Ｌ１が存在していること、その折り曲げ部（縦のセンタライン）Ｌ１を中心として横線Ｌ２が左右対称のレイアウト（用紙フォーム）となっていること、折り曲げ部（縦のセンタライン）Ｌ１を中心として左右対称の撓みＬ３が存在していることに基づいて見開き頁であると判定するようにしてもよい。これによって頁捲りを行わなくても見開き頁の判定が可能となる。
【００３７】
上述した実施形態においては、見開き頁であると判定した場合にその撮影画像を見開きの各頁にそれぞれ分割するようにしたが、更に、撮影画像を解析することにより紙媒体１２の向きを更に判定し、分割した各頁データの向きを紙媒体１２の向きに合わせるように回転制御するようにしてもよい。この場合、見開き型の文書は、図９（１）に示すように画像の上が用紙上となっている可能性が高く、また、用紙の右上隅部が留められている片留め型の文書は、図９（２）に示すように画像の上又は右が用紙上となっている可能性が高いために文書形式の判定と共に用紙の向きを合わせて判定することが可能となる。これによって、例えば、文字認識機能を使用して文字の方向などから用紙の向きを判定する方法に比べて全体の処理効率を良くすることができる。
【００３８】
上述した実施形態においては、予め決められている優先順位にしたがって複数の判定方法に応じた判定を順次行うことにより見開き頁であるか否かを判定するようにしたが、ユーザ操作により所望する判定方法が選択された場合に、その判定方法で見開き頁であるか否かを判定するようにしてもよい。このように判定方法を任意に選択可能とすれば、個性的な頁捲りであっても対応可能となり、精度良く判定することが可能となる。
【００３９】
上述した実施形態においては、画像変化領域ｂが用紙領域ａの右側に、はみ出しているかに応じて判定するようにしたが、用紙領域ａの右側及び上側に、はみ出しているかに応じて判定するようにしてもよい。
【００４０】
上述した実施形態においては、画像変化領域ｂが用紙領域ａの右側に閾値よりも大きく、はみ出していなければ、見開き型の文書資料が頁捲りされている可能性があると判断して、文書内容の変化方向は右真横方向であるかを調べたり、文書内容の変化領域は用紙領域ａの左半分領域であるかを調べたりするようにしたが、この複数の判定方法をどのように組み合わせて判定を行うかは、任意に変更可能としてもよい。また、複数の判定方法における全ての条件を満たす場合に見開き頁として判定するようにしてもよく、逆に、複数の判定方法のいずれか一つでもその条件を満たす場合に見開き頁として判定するようにしてもよい。
【００４１】
上述した実施形態においては、撮影画像を用紙中央で左右の頁に分割するようにしたが、用紙領域の中央で上下の頁に分割するようにしてもよい。また、分割数は、２分割に限らず、頁単位であれば３分割などであってもよい。
【００４２】
上述した実施形態においては、複数枚の用紙を束ねてその右上隅部がクリップなどで留められている片留め型の文書資料を例示したが、クリップなどで留める位置は用紙の右上隅部に限らず、左上隅部や上端中央部などであってもよい。
【００４３】
上述した実施形態においては、撮影画像を用紙中央で左右の頁に分割して、その左右頁をそれぞれ記録保存するようにしたが、見開き型であっても、片面のみ印刷又は手書きされていて、他面が白紙の場合には白紙の頁を除いて、印刷／手書き頁だけを抽出して記録保存するようにしてもよい。
【００４４】
上述した実施形態において情報読取装置は、両開き式のバインダ１０上にタブレット装置１１と紙媒体１２とを装着した構成としたが、これに限らず、支柱などに撮像部を取り付けて紙媒体１２を斜め上方向から撮影するなど、その構成は任意である。
【００４５】
また、上述した実施形態において情報読取装置をタブレット装置１１としたが、これに限らず、例えば、カメラ付きのパーソナルコンピュータ・ＰＤＡ（個人向け携帯型情報通信機器）・スマートフォン、又はデジタルカメラ自体であってもよい。
【００４６】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００４７】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
情報が記録されている情報記録媒体を撮影してその情報を読み取る情報読取装置であって、
前記情報記録媒体の撮影画像を解析することによって当該情報記録媒体が見開き頁であるか否かを判定する判定手段と、
前記判定手段により見開き頁であると判定された場合に、前記情報記録媒体の撮影画像を見開きの各頁にそれぞれ分割する分割手段と、
を備えたことを特徴とする情報読取装置である。
（請求項２）
請求項２に記載の発明は、請求項１に記載の情報読取装置において、
前記判定手段は、複数頁を有する情報記録媒体の頁捲り時に順次撮影された各撮影画像を比較することによってその画像内容の変化を検出し、この画像の変化に基づいて見開き頁であるか否かを判定する、
ようにしたことを特徴とする情報読取装置である。
（請求項３）
請求項３に記載の発明は、請求項２に記載の情報読取装置において、
前記判定手段は、頁捲り時に順次撮影された各撮影画像を比較してその画像内容の変化として、当該情報記録媒体の頁捲り方向に、はみ出した領域を検出し、このはみ出した領域に基づいて見開き頁であるか否かを判定する、
ようにしたことを特徴とする情報読取装置である。
（請求項４）
請求項４に記載の発明は、請求項１〜請求項３のいずれかに記載の情報読取装置において、
前記判定手段は、情報記録媒体の頁捲り方向に、はみ出した領域の大きさが所定値以上であれば、見開き頁であると判定する、
ようにしたことを特徴とする情報読取装置である。
（請求項５）
請求項５に記載の発明は、請求項１〜請求項４のいずれかに記載の情報読取装置において、
前記判定手段は、頁捲り時に順次撮影された各撮影画像を比較してその画像内容の変化として、当該情報記録媒体の頁捲り方向への変化を検出し、この頁捲り方向への変化であるか否かに基づいて見開き頁であるか否かを判定する、
ようにしたことを特徴とする情報読取装置である。
（請求項６）
請求項６に記載の発明は、請求項１〜請求項５のいずれかに記載の情報読取装置において、
前記判定手段は、頁捲り時に順次撮影された各撮影画像を比較してその画像内容の変化として、頁捲り中の変化が当該情報記録媒体の略全体の領域か略半分の領域を検出し、この変化領域の大きさに基づいて見開き頁であるか否かを判定する、
ようにしたことを特徴とする情報読取装置である。
（請求項７）
請求項７に記載の発明は、請求項１〜請求項６のいずれかに記載の情報読取装置において、
前記判定手段は、前記情報記録媒体の撮影画像を解析することによって情報記録媒体のフォーム及び撓み状態を検出し、その検出フォーム及び撓み状態に基づいて見開き頁であるか否かを判定する、
ようにしたことを特徴とする情報読取装置である。
（請求項８）
請求項８に記載の発明は、請求項１〜請求項７のいずれかに記載の情報読取装置において、
前記判定手段は、予め決められている優先順位にしたがって複数の判定方法に応じた判定を順次行うことにより見開き頁であるか否かを判定する、
ようにしたことを特徴とする情報読取装置である。
（請求項９）
請求項９に記載の発明は、請求項１〜請求項７のいずれかに記載の情報読取装置において、
前記判定手段は、予め決められている複数の判定方法の中からユーザ操作に応じて任意に選択された判定方法により見開き頁であるか否かを判定する、
ようにしたことを特徴とする情報読取装置である。
（請求項１０）
請求項１０に記載の発明は、請求項１〜記載９のいずれかに記載の情報読取装置において、
前記分割手段は、撮影画像をその中央を境にして左右の頁に二分割する、
ようにしたことを特徴とする情報読取装置。
（請求項１１）
請求項１１に記載の発明は、請求項１〜記載１０のいずれかに記載の情報読取装置において、
前記判定手段は、前記撮影画像を解析することにより情報記録媒体の向きを更に判定し、
前記分割手段によって分割された各頁の向きを前記判定手段によって判定された情報記録媒体の向きに合わせる制御を行う制御手段を更に備える、
ようにしたことを特徴とする情報読取装置である。
（請求項１２）
請求項１２に記載の発明は、
コンピュータに対して、
情報が記録されている情報記録媒体を撮影した撮影画像を解析することによって当該情報記録媒体が見開き頁であるか否かを判定する機能と、
前記見開き頁であると判定された場合に、前記情報記録媒体の撮影画像を見開きの各頁にそれぞれ分割する機能と、
を実現させるためのプログラムである。
【符号の説明】
【００４８】
１  制御部
３  記憶部
３ａ  プログラムメモリ
４  操作部
６  撮像部
１１  タブレット装置
１２  紙媒体
ａ  文書資料の用紙領域
ｂ  画像変化領域
【図１】
2014120962.tif 000003
【図２】
2014120962.tif 000004
【図３】
2014120962.tif 000005
【図４】
2014120962.tif 000006
【図５】
2014120962.tif 000007
【図６】
2014120962.tif 000008
【図７】
2014120962.tif 000009
【図８】
2014120962.tif 000010
【図９】
2014120962.tif 000011